(57)【要約】      （修正有）【課題】スイング中に不適切なバランスまたはスエーを検出可能とする。【解決手段】ゴルフ練習装置であって、実質的に平坦な前方部、後方部及びこの後方部から上向きに突出する立ち上がりプラットホームを持つベースを含む。この立ち上がりプラットホームは一般的に前向きかつ上向きに傾斜した足のせ台を含む。使用者は練習スイング中に不適切なバランスまたはスエーを彼または彼女に検出可能とするために練習スイング中に一方の足を上昇した足のせ台に支持する。上昇した足のせ台は右ききまたは左きき使用者のいずれかの左または右足のいずれかを受けることができる。練習装置はまた上昇した右または左足のいずれかにより、前向きスタンスまたは横向きスタンスのいずれかで使用されることができ、更に多数の他のゴルフ関連またはゴルフ不関連運動で使用可能である。一つの好適な形では足のせ台の高さ、傾斜角度、または両者が調整可能である。【選択図】図３
2004275737.tif 000002
【特許請求の範囲】
【請求項１】
ゴルフスイング練習装置であって、それが：使用者が立つことができる前方部、後方部及び前記後方部から一般的に上向きに突出する立ち上がりプラットホームを持つベースを含み、前記立ち上がりプラットホームがその上部に後方足のせ台を含み、前記足のせ台の少なくとも一部分が後方へ上向きに傾斜しかつ少なくとも部分的に前方を向いており、この足のせ台の上に使用者は練習スイング中一方の足を支持することができ一方他方の足によりベースの前方部上に立ち、それにより使用者に練習スイング中スエーすることなしに適切なバランスを維持させることを特徴とするゴルフスイング練習装置。
【請求項２】
前記後方足のせ台の前記部分が使用者の左足または右足のいずれかを受けるのに適合していることを特徴とする請求項１に記載のゴルフスイング練習装置。
【請求項３】
前記練習装置が右きき使用者または左きき使用者のいずれによる使用にも適合していることを特徴とする請求項２に記載のゴルフスイング練習装置。
【請求項４】
前記練習装置が前記足のせ台に関して少なくとも部分的に横を向いている使用者による使用にも適合していることを特徴とする請求項１に記載のゴルフスイング練習装置。
【請求項５】
前記練習装置が前記足のせ台に関して少なくとも部分的に横を向いている使用者による使用にも適合していることを特徴とする請求項３に記載のゴルフスイング練習装置。
【請求項６】
前記ベースの前記前方部が実質的に平坦であることを特徴とする請求項３に記載のゴルフスイング練習装置。
【請求項７】
前記足のせ台が前記ベース上の前記足のせ台の高さを変えるために垂直に調整可能であることを特徴とする請求項１に記載のゴルフスイング練習装置。
【請求項８】
前記足のせ台が前記足のせ台の傾斜角度を変えるために角度的に調整可能であることを特徴とする請求項１に記載のゴルフスイング練習装置。
【請求項９】
前記足のせ台が前記足のせ台の傾斜角度を変えるために角度的に調整可能であることを特徴とする請求項７に記載のゴルフスイング練習装置。
【請求項１０】
運動装置であって、それがベースを含み、前記ベースが使用者が立つことができる実質的に平坦な前方部、後方部、及び前記後方部から一般的に上向きに突出する上昇したプラットホームを持ち、前記上昇したプラットホームが後方へ上向きに傾斜しかつ少なくとも部分的に前方を向いている上部足踏み部を含み、この上部足踏み部上に使用者が練習スイング中一方の足を支持することができ一方他方の足によりベースの前方部上に立ち、それにより使用者に練習スイング中スエーすることなしに適切なバランスを維持させることを特徴とする運動装置。
【請求項１１】
前記運動装置が前記足のせ台に関して少なくとも部分的に横を向いている使用者による使用にも適合していることを特徴とする請求項１０に記載の運動装置。
【請求項１２】
前記傾斜上部足踏み部が使用者の左足または右足のいずれかを受けるのに適合していることを特徴とする請求項１０に記載の運動装置。
【請求項１３】
前記運動装置が前記足のせ台に関して少なくとも部分的に横を向いている使用者による使用にも適合していることを特徴とする請求項１２に記載の運動装置。
【請求項１４】
前記運動装置が携帯可能であることを特徴とする請求項１０に記載の運動装置。
【請求項１５】
前記ベースが実質的に平坦であることを特徴とする請求項１０に記載の運動装置。
【請求項１６】
前記足のせ台が前記ベースの上の前記足のせ台の高さを変えるために垂直に調整可能であることを特徴とする請求項１０に記載の運動装置。
【請求項１７】
前記足のせ台が前記足のせ台の傾斜角度を変えるために角度的に調整可能であることを特徴とする請求項１０に記載の運動装置。
【請求項１８】
前記足のせ台が前記足のせ台の傾斜角度を変えるために角度的に調整可能であることを特徴とする請求項１６に記載の運動装置。
【発明の詳細な説明】
【発明の詳細な説明】
【０００１】
発明の背景及び概要
本発明は一般的に運動または練習装置に関し、より詳細にはゴルフ練習を行う間または他の運動を実施する間に使用者がその上に立つことができる装置に関する。
【０００２】
特にボールを打つために正確に実行されねばならない数多いゴルフスイング技術を考慮すると、ゴルフスポーツは熟達するのが困難なことが多いことは周知である。ゴルフを始める殆どの人々はクラブをスイングしながら同時にこれらの種々の技術の全てに集中することは手に負えないことを見出す。事実、ゴルフはプレーヤーの最も恐れる敵はプレーヤー自身であるという数少ないスポーツの一つとして特徴付けられている。従ってゴルファーがある技術の正確な実行をそんなに集中を要しない習慣にまで変えることができるなら、彼または彼女はその時は他の技術に集中することができる。
【０００３】
ゴルフスイングを正確に実行するこれらの重要な技術の一つはその人のバランスを維持すること及びスイングの過程中に左右に過度にスエーしないことである。しかし、ゴルファーにとっては彼または彼女が過度にスエーしているかどうかまたはそうでなくてもゴルフスイング中に適正なバランスを維持していないことを発見することは時には困難である。
【０００４】
従って、本発明はゴルファーが彼または彼女のバランスを保持し、かつ誤った左右のスエーを発見するのに必要な筋肉の熟練、強度、及び調整を開発するのを助ける練習装置を提供する。この発明によるゴルフスイング練習または他の運動装置は好ましくはゴルファーまたは他の使用者が立つことができる前方部、後方部及び後方部から一般的に上向きに突出する立ち上がりまたは上昇プラットホームを持つベースを含む。
【０００５】
好ましい立ち上がりプラットホームはその上部または上昇部分上に高さ調整可能な足のせ台を含み、その足のせ台の少なくとも一部は好ましくは一般的に前向きにかつ上向きに面するように調整可能に傾斜している。使用者はそのときスイング練習または他の運動時に彼または彼女に誤ったバランスまたは望ましくないスエーを発見させるために練習スイング時に一方の足を前方部上に、他の足を上昇足のせ台上に置くことができる。上述のように、これはまた使用者が彼または彼女のバランスを習慣の問題として彼または彼女がより良く制御することができる水準まで彼または彼女の筋肉及び調整を開発するのを助ける。好ましくは、上昇足のせ台は使用者が右ききまたは左ききであるかどうかにかかわらず使用者の左足または右足のいずれかを受けるのに適合している。また、右ききまたは左ききの使用者のいずれもが練習スイングまたは他の運動時に交互に右または左足を上昇することができる。
【０００６】
加えて、本発明による練習装置は前向きスタンスまたは全体的または部分的に横向きスタンスのいずれかに位置した右ききまたは左きき使用者のいずれかにより右または左足を上昇させたいずれかでの任意の使用のために適合している。かかる横向きスタンスは特にゴルファーのボールが傾斜面にのっているときに遭遇するゴルフスイングを練習するために有利である。最後に、本発明はまた運動用ウェイトまたは他の運動装置を保持して実施される多くの他の運動のために有用である。
【０００７】
本発明の追加の目的、利点、応用、及び特徴は添付図面に関してなされる以下の説明及び添付請求項から明らかとなるであろう。
【０００８】
図面の簡略説明
図１は本発明による運動または練習装置の正面透視図である。
【０００９】
図２は図１の運動または練習装置の半横向きの透視図であり、更に破線で示された任意のヒンジを示す。
【００１０】
図３は傾斜かつ上昇した足のせ台上に支持された使用者の右足を示す、図１の練習または運動装置の透視図である。
【００１１】
図４は図３の透視図に似た図であるが、傾斜かつ上昇した足のせ台上に支持された使用者の左足を示す。
【００１２】
図５は使用者が彼のまたは彼女の右足を傾斜かつ上昇した足のせ台上に支持させてウェイト（または他の運動装置）を保持していることを除き、図３の透視図に似た図である。
【００１３】
図６は使用者が彼または彼女の左足を傾斜かつ上昇した足のせ台上に支持したことを除き、図５の透視図に似た図である。
【００１４】
図７は図３または４の透視図に似た図であるが、使用者が横向きスタンスで示されている。
【００１５】
図８は図１から７の練習または運動装置の変形例を示す透視図であり、そこでは足のせ台の高さまたは角度のいずれかまたは両方が調整可能である。
【００１６】
図９は図８の透視図に似た図であるが、調整可能な足のせ台のなお別の実施例を示す。
【００１７】
好適実施例の説明
図１から９はこの発明によるゴルフスイングを練習するためにまたは他の運動を実施するために使用される、単に例示の目的のために示された、運動装置の好適実施例を示す。しかし、当業者は図に示された例示的運動装置は種々様々な他の練習または運動用途を持つことができることを容易に認めるであろうし、並びにこれらの練習または運動行為は本発明の原理によるが図面に示された例示的実施例とは構造が異なる練習また運動装置を用いて実行されることができることは認められるであろう。
【００１８】
最初に図１と２を参照するに、本発明による練習または運動装置１０は一般的に平坦な前方ベース部１４と後方ベース部１６を持つベース１２を含む。立ち上がりまたは上昇プラットホーム装置２０が後方部１６上に配置され、下部支持部材２６と上部支持部材２８により支持された足のせ台２４を含む。足のせ台２４は好ましくは一般的に前向き及び上向き方向に傾斜している。
【００１９】
図２にのみ示されるように、ベース１２は任意的にヒンジ３２（破線で示される）を前方ベース部１４と後方ベース部１６との間の略中間位置に含むこともできる。この任意のヒンジ３２は前方ベース部１４を一般的に上向きかつ後方に上昇したプラットホーム２０に向けて旋回または折りたたむことを可能とし、かくして容易でかつ便利な運搬とコンパクトな貯蔵を提供する。更なる任意態様として（図示せず）、ヒンジはこれに代えて前方ベース部１４を反対旋回方向に、まず一般的に後方にかつ下向きに次いで後方にかつ上向きに一般的に後方ベース部１６を向いたかつその下の位置に旋回しまたは折りたたむことを可能とするような機能を備えることができ、再度容易でかつ便利な運搬とコンパクトな貯蔵を提供する。
【００２０】
加えて、図面に示されるように、前方ベース部１４は任意的にベース把握表面１８を持つことができ、この把握表面は高摩擦またはスリップしない表面を含むことができ、かつ前方ベース部１４の残りと同一平面であるかまたはその中に凹んでいるかのいずれかであることができる。当業者は多数の他の高摩擦装置のいずれもこの目的のために使用されることができること及び把握表面１８が前方ベース部１４と同一平面であるかまたはその中に凹んでいることができることを認めるであろう。足のせ台２４はまた任意的にその上に同様なプラットホーム把握表面１９を含むことができる。
【００２１】
練習装置１０がゴルフスイング練習装置として用いられている図３と４に示されるように、使用者４０は前方ベース部１４上に右足４２または左足４４を置き、反対の足を足のせ台２４上に支持することができる。この位置で使用者は彼のまたは彼女のゴルフスイングを練習することができ、これらの状態では一方の足をかかる後方及び上昇位置にしてゴルフスイングを行いながら直立したままであることは困難であるであろうから不適切なスエーまたは望ましくないバランス移動を容易に検出することができるであろう。かかる運動または練習動作は左ききまたは右ききのゴルファーのいずれでも実施することができ、ゴルファーが左ききまたは右ききであるかどうかにかかわらず練習スイング中それぞれ右と左足４２と４４を交互に上昇させることが推奨される。
【００２２】
図５と６は練習装置１０の交互の足上昇使用を示す。これらの図では使用者４０は同時に一つまたはそれ以上の運動ウェイト４８または種々様々な他の既知の運動装置のいずれかを保持する。
【００２３】
図７において、使用者４０は傾斜した足のせ台２４上に上昇させた右足４２を持ち、好ましくは実質的に平坦な前方ベース部１４上に置いた左足４４を持つ。しかし、使用者４０は練習装置１０に関して横向きスタンスで立っている。図７は例えば、かかる横向きスタンスで上昇した右足４２を持つ右ききゴルファー４０を示すが、この練習装置は使用者が右ききかまたは左ききであるかどうかにかかわらず、右足４２または左足４４のいずれかを上昇させた多数の完全にまたは部分的に横向きのいずれかで使用されることができることは強調されるべきである。更に、これらの完全なまたは部分的な横向きスタンスのいずれもまた図７に例示の目的のために示されたゴルフクラブ４６の代わりに、運動ウェイト４８または複数の運動装置のいずれかに関して使用されることができる。
【００２４】
図８と９は練習または運動装置１０の変形例を示し、そこでは足のせ台２４の高さ、またはその傾斜角度、またはその両者が特定の使用者または使用者の意図した目的に合うように調整されることができる。図８では上部支持部材２８はそれぞれ二つの部分２８ａと２８ｂから形成され、部分２８ａまたは２８ｂのいずれかに形成されている一般的に垂直なスロット５２を持ち、このスロットは部分２８ａまたは２８ｂの他方の固定位置に配置されたボルトまたはねじ付きピン５４を調節可能にかつスライド的に受ける。この装置は足のせ台２４の高さを一般的に上向きまたは下向きに調整し、ボルトまたはねじ付きピン５４にナット５６を締め付けることにより予め選ばれた高さに固定することを可能とする。
【００２５】
かくして、図８において、使用者は彼のまたは彼女の身長、脚の長さ、または希望の快適水準により足のせ台２４の垂直位置を、好ましくは略１インチから略１５インチの高さ範囲を通して調整することができ、使用者が図７に示されるような彼の足を横向きにのせる時ビギナーに対しては略５  １／２インチの開始または試行高さが示唆される。しかし、図１または３に示されるようにこの発明を用いるとき、例えば使用者の脚を後方に上昇させた場合、使用者は略１インチから略２０インチの高さ範囲を選ぶべきであること及び使用者はビギナーなら略１０インチの高さで開始すべきであることが示唆される。この点に関して、足のせ台２４は使用者の脚の筋肉を強化し、例えば使用者のゴルフスイングのような種々の活動のための適切なバランス及び筋肉記憶を発達させるために、最も高い快適高さに調整され、または時間経過によりかかるより高い高さに次第に上昇させられるべきであることが一般的に示唆される。かかる希望のバランス及び筋肉強化及び記憶目標が達成された後、使用者は望ましくない身体スエーなしに低い水準で彼のまたは彼女の運動または練習を続けることができる。
【００２６】
当業者は図８に示した高さ調整機能がまた長いスロット５２とボルトまたはピン５４による以外の多数の既知の装置により完成されることができることを容易に認めるであろう。その一例が図９に示され、そこでは上部支持部材部分２８ａ及び２８ｂは一連の別個の穴６２を含み、それを通してピン６４が足のせ台２４の高さを調整するために多数の高さのいずれかに選択的に挿入されることができる。もちろん他の例がかかる熟練技術者には容易に考えつくであろう。
【００２７】
図８と９に示されるように、足のせ台の傾斜角度はまた単独でまたはこれらの図に示された高さ調整能力と組み合わせてのいずれかで調整可能とすることができる。かかる装置の一例において、旋回部７２が足のせ台２４の各端に設けられる。特に図８に示されるように、旋回部材７２または上部支持部材部分２８ｂのいずれかがそこに形成された弓状スロット７４を持つことができ、それを通してボルトまたはねじ付きピン７６が足のせ台２４の傾斜角度を使用者の快適さ、目的または身体寸法またはタイプに合うように選択的に変えることを可能とするために調整可能にかつスライド可能に受け入れられかつ例えばナット７８により固定される。
【００２８】
かかる傾斜角度調整能力を設けることにより、運動を練習しまたは実施する間、本発明は使用者を彼または彼女自身の個々の身長、脚の長さ、快適さ及び希望の目的に適応させることができる。この点に関して足のせ台２４の傾斜角度が略３度から略２０度の範囲に渡って調整されることが好ましく、例えば図７のように使用者の脚を横に上昇させて装置１０を用いるとき殆どのビギナー使用者は初期または試行角度を略８度（足のせ台２４を好ましくは略５  １／２インチに上昇させて）に選択すべきであろう。例えば図３のように使用者の脚が後方に上昇されるとき、略３０度の初期または試行角度が示唆されるなら（足のせ台２４を好ましくは略１０インチに上昇させて）、略３度から略６０度の範囲が推奨される。使用者のバランス、筋肉記憶または技術が改善された後、望ましくないスエーなしに維持練習または運動を実施するとき高さと傾斜角度のいずれかまたは両者がもし望ましいなら下げられることができる。
【００２９】
他の既知の高さ調整及び／または角度調整装置がまた図９に示された例のように用いられることができることは当業者は容易に認めるであろうし、それは装置従って足のせ台２４を選択された高さまたは上昇位置に保持するために別個の穴６２が取り外し可能なピン６４（好ましくは図示のように一端にノブまたはハンドルを備えた）を受けるために部分２８ａまたは２８ｂに形成されている。もちろん、取り外し可能なピン及び一連の弓状に配置された穴を持つ同様な装置がまた図に示された弓状スロット装置の代わりに、足のせ台２４の角度傾斜を調整するために用いられることができる。
【００３０】
前述の説明は例示のみの目的のために本発明の単に例示的実施例を開示し記述する。当業者はかかる説明、及び添付図面及び請求の範囲から、種々の変更、修正及び変形が請求の範囲に規定されるこの発明の精神及び範囲から逸脱することなくなされることができることを容易に認めるであろう。
【図面の簡単な説明】
【００３１】
【図１】図１は本発明による運動または練習装置の正面透視図である。
【図２】図１の運動または練習装置の半横向きの透視図であり、更に破線で示された任意のヒンジを示す。
【図３】傾斜かつ上昇した足のせ台上に支持された使用者の右足を示す、図１の練習または運動装置の透視図である。
【図４】図３の透視図に似た図であるが、傾斜かつ上昇した足のせ台上に支持された使用者の左足を示す。
【図５】使用者が彼のまたは彼女の右足を傾斜かつ上昇した足のせ台上に支持させてウェイト（または他の運動装置）を保持していることを除き、図３の透視図に似た図である。
【図６】使用者が彼または彼女の左足を傾斜かつ上昇した足のせ台上に支持したことを除き、図５の透視図に似た図である。
【図７】図３または４の透視図に似た図であるが、使用者が横向きスタンスで示されている。
【図８】図１から７の練習または運動装置の変形例を示す透視図であり、そこでは足のせ台の高さまたは角度のいずれかまたは両方が調整可能である。
【図９】図８の透視図に似た図であるが、調整可能な足のせ台のなお別の実施例を示す。
【図１】
2004275737.tif 000003
【図２】
2004275737.tif 000004
【図３】
2004275737.tif 000005
【図４】
2004275737.tif 000006
【図５】
2004275737.tif 000007
【図６】
2004275737.tif 000008
【図７】
2004275737.tif 000009
【図８】
2004275737.tif 000010
【図９】
2004275737.tif 000011
【外国語明細書】
2004275737.tif 000012
2004275737.tif 000013
2004275737.tif 000014
2004275737.tif 000015
2004275737.tif 000016
2004275737.tif 000017
2004275737.tif 000018
2004275737.tif 000019
2004275737.tif 000020
2004275737.tif 000021
2004275737.tif 000022
2004275737.tif 000023
2004275737.tif 000024
2004275737.tif 000025
2004275737.tif 000026
2004275737.tif 000027
2004275737.tif 000028
2004275737.tif 000029
2004275737.tif 000030
2004275737.tif 000031
2004275737.tif 000032